(57)【特許請求の範囲】
【請求項１】
複数の光通信カードと、前記光通信カードを制御するための制御カードと、前記複数の光通信カードと接続されるスイッチカードとを有する光伝送装置であって、
前記光通信カードは、
外部から受信する信号に光・電気信号変換を行う信号送受信部と、
前記信号送受信部からの信号に対するＦＥＣ処理を行う第１ＦＥＣ処理部と、
前記ＦＥＣ処理について、方式を選択して前記第１ＦＥＣ処理部を制御する機能選択部と、
前記制御カードと信号を送受信する第１制御部とを有し、
前記スイッチカードは、
前記光通信カードからの信号に対するＦＥＣ処理を行う第２ＦＥＣ処理部と、
前記ＦＥＣ処理について、方式を選択して前記第２ＦＥＣ処理部を制御し、
前記制御カードと信号を送受信する第２制御部とを有し、
前記制御カードは、
伝送路と前記伝送路に適用可能な複数の異なる方式のＦＥＣ機能とを対応して記憶するデータテーブルと、
前記データテーブルについて、前記第１制御部、前記第2制御部の少なくともいずれかへ送信すべき情報を検索する検索処理部とを有することを特徴とする光伝送装置。
【請求項２】
前記第１ＦＥＣ処理部は、複数の異なる方式のＦＥＣ機能部を格納し、
前記機能選択部は、前記の複数の異なる方式のＦＥＣ機能部の一を選択することを特徴とする請求項１に記載の光伝送装置。
【請求項３】
前記検索処理部は、外部から受信するパス設定情報に対応する前記伝送路及び伝送速度について、対応するＦＥＣ機能を検索し、
前記第１制御部は、前記制御カードから受信する、前記検索処理部による前記ＦＥＣ機能の検索結果に基づいて、前記機能選択部を制御することを特徴とする請求項１に記載の光伝送装置。
【請求項４】
前記データテーブルは、
前記光通信カードから前記スイッチカードへの方向の伝送路についての第１テーブルと、
前記スイッチカードから前記光通信カードへの方向の伝送路についての第２テーブルとを有することを特徴とする請求項１に記載の光伝送装置。
【請求項５】
前記制御カードは、前記光通信カードから受信する第１実装情報を外部へ送信し、前記第１実装情報に基づいて定まる前記パス設定情報を外部から受信することを特徴とする請求項３に記載の光伝送装置。
【請求項６】
前記制御カードは、前記スイッチカードから受信する第２実装情報を外部へ送信し、前記第２実装情報に基づいて定まる前記パス設定情報を外部から受信することを特徴とする請求項３に記載の光伝送装置。
【発明の詳細な説明】
【技術分野】
【０００１】
本発明は、前方誤り訂正（FEC（Forward error correction））機能を備えた光通信カード及び光伝送装置に関するものである。
【背景技術】
【０００２】
近年、インターネット（登録商標）や光電話等の様々な分野における光通信技術の普及に伴い、光伝送システムにおいて、長距離化、大容量伝送を実現させるための様々な技術が開発されている。
【０００３】
長距離化においては、一般に、伝搬距離が長くなるにつれファイバによる伝搬損失等の影響による信号伝搬中のデータ誤りが顕著になるため、ＦＥＣ機能と呼ばれるエラー訂正機能が有効となる。FECとは送信すべきデータに対し、送信側でデータ訂正に必要な訂正ビットを挿入し、受信側で訂正ビットを基に誤り検出を行い、誤りがあった場合にデータ訂正を行う技術である。データ誤りが発生してもデータの再送信をすることなく受信側でデータ訂正が可能となり、データの再送を防ぎ、高速化を可能としている。現在汎用的に使用されているFECは数種類存在し、ITU-T G.709で標準化されるRS[255,239]符号を用いたGFEC（Generic FEC）や、ITU-T G.975.1で標準化されるEFEC(Enhanced FEC)が代表的である。EFECの中には、BCH[3860,3824]符号やRS[1023,1007]符号など様々な符号を用いることで複数種類のFECを実現できる。
【０００４】
従来方式であるGFECに対し、EFECはエラー訂正能力に優れており、伝送容量の増大に伴い増加するビット誤り率を抑制できる。従来のGFECが誤り率10-5程度までエラー訂正可能である事に対し、EFECでは連設符号化を行うことにより、誤り率10-3程度までエラー訂正が可能である。ここで、誤り率とは、伝送中のデータにおいて10万ビットのデータあたりに発生する誤りのビット数をパーセントで表したものである。GFECやEFECでの前記訂正可能範囲におけるエラー訂正後の誤り率は、一般的にファイバチャネル等の高速信号で要求される10-12以下の誤り率である。但し、EFECは複数回のエラー訂正演算を行うため、情報処理量が増えることにより消費電力も増加する。
【０００５】
消費電力を抑える手段として、特許文献１（特開２０１０−１１８８９６公報）がある。特許文献１では、光伝送路上の主信号のビット誤り数を常時監視し、前記誤り数が設定した閾値よりも低い場合においてFEC機能を未使用とする。そして、実運用中にビット誤りが増加し、FEC機能が必要になると、FEC機能を動作させる。これにより、実運用中の不要なFEC機能に対する消費電力を削減している。
【０００６】
一方、大容量化については、時分割多重化や波長分割多重化の多重化技術により、現在では40Gbit/s（以下bps）や100Gbpsといった伝送容量を備えた光伝送システムが開発されている。
【０００７】
また、光伝送装置で経路選択を行う技術として、大容量の光信号に対してスイッチングする光スイッチング技術や、大容量信号の中からパケット単位でスイッチングするパケットスイッチング技術がある。ただしパケットスイッチを行う際には、現在の実用化されている技術では、光信号から電気信号へ変換し、各パケット単位の宛先情報を読み出しスイッチングする必要がある為、装置内における電気信号の伝送速度についても高速化が必要とされている。現在のパケットスイッチング技術に使用されている電気信号の伝送速度は1Gbpsや3.125Gbpsが主流である。現在では6.25Gbpsや最大11.1Gbpsといったパケットスイッチング素子も開発されているが、電気信号が装置内を伝搬する際には、基板やコネクタ等で伝搬損失が存在する為、伝搬損失と伝送速度を考慮した設計が必要である。現在ではIEEE802.3apにて10Gbpsのバックプレーン（以下BP）伝送を想定した規格「10GBASE-KR」がFEC機能も含め標準化されており、前記伝搬損失により発生しうるデータ誤りを訂正でき、電気信号の高速伝送を可能としている。
【先行技術文献】
【特許文献】
【０００８】
【特許文献１】特開２０１０−１１８８９６
【発明の概要】
【発明が解決しようとする課題】
【０００９】
FEC機能を用いた10GbpsのBP伝送を行うことで、伝送品質の高い大容量スイッチ機能を搭載した光伝送装置の実現が考えられる。一方、大容量化については、高速信号に対する信号処理動作が多くなる事に加え、FEC機能の追加でさらに処理量が増え、消費電力は増加する。FEC機能を使用しなければ消費電力は装置全体で軽減できるが、通信ネットワークの伝送品質は、通信サービスの質に影響を与える為、最も重視しなければならない。一般的に、信頼性を重視しネットワーク上でデータ通信の行われる主信号に対しては、FEC機能を使用し伝送品質を確保されることが多い。しかし、実際は、伝送速度や装置内の各伝送路によって伝搬損失は異なるため、例えば低速度や信号の減衰が小さい伝送路では、FEC機能が不要な場合も存在する。このようなFEC機能の必要性の低い伝送路についてもFEC機能を使用することは消費電力の必要以上の増加につながる。
【００１０】
特許文献１のFEC機能制御方法は、ある程度の省電力化は可能であるが、実運用中における主信号のビット誤り数をデコーダ側で監視する為、ビット誤りが発生してからでなければFEC機能を有効とする事が出来ない。すなわち、光伝送装置としての信頼性の維持に課題がある。
【００１１】
以上の通り、前方誤り訂正（FEC（Forward error correction））機能を備えた光通信について、ネットワーク上でのビット誤りの発生率を低下させつつ、かつＦＥＣ機能の使用による消費電力を確実に抑える技術が必要とされている。
【課題を解決するための手段】
【００１２】
本発明による光伝送装置は一例として、複数の光通信カードと、前記光通信カードを制御するための制御カードと、前記複数の光通信カードと接続されるスイッチカードとを有する光伝送装置であって、前記光通信カードは、外部から受信する信号に光・電気信号変換を行う信号送受信部と、前記信号送受信部からの信号に対するＦＥＣ処理を行う第１ＦＥＣ処理部と、前記ＦＥＣ処理について、方式を選択して前記第１ＦＥＣ処理部を制御する第１機能選択部と、前記制御カードと信号を送受信する第１制御部とを有し、前記スイッチカードは、前記光通信カードからの信号に対するＦＥＣ処理を行う第２ＦＥＣ処理部と、前記ＦＥＣ処理について、方式を選択し、前記制御カードと信号を送受信する第２制御部とを有し、前記制御カードは、伝送路と前記伝送路に適用可能な複数の異なる方式のＦＥＣ機能とを対応して記憶するデータテーブルと、前記データテーブルについて、前記第１制御部、前記第2制御部の少なくともいずれかへ送信すべき情報を検索する検索処理部とを有することを特徴とする。
【００１３】
ここで、装置内における主信号伝送において、伝送速度と装置内の各伝送路に対するビット誤り率を、基板材質や伝送路長、コネクタ等の設計パラメータにおける信号減衰量から算出する等により実運用前に把握してもよい。例えばシステム設計値としてFEC訂正後の誤り率が10-15以下を要求されるような場合、各伝送速度と各伝送路に対し、仮に誤り率が10-15以下の場合はFEC機能を無効化、誤り率が10-15から10-12の場合は、訂正処理動作が少なく、前記範囲の誤り率において訂正後の誤り率が10-15となる第１FEC機能、10-12から10-5の場合は、第１FEC機能よりも処理動作は多いが、前記範囲の誤り率において訂正後の誤り率が10-15となる第２FEC機能、さらに10-5から10-3の場合は、第２FEC機能よりも処理動作は多いが、前記範囲の誤り率において訂正後の誤り率が10-15となる第３FEC機能というように、FEC訂正後に10-15以下となるよう複数のFEC機能の中から選択するようにしてもよい。
【００１４】
FEC機能を選択するためのデータベースたるデータテーブルについては、制御カードに設けてもよく、あるいは光通信カードを含む一部あるいは全ての制御部またはその両方、さらに保守者が装置を設定する際に使用する外部端末に保持するように設計してもよい。
【発明の効果】
【００１５】
本発明により、装置内の主信号に対し、システム要求に必要な伝送品質を確保しながら装置内でのFEC機能による消費電力を削減できる。
【図面の簡単な説明】
【００１６】
【図１】光通信カードの主信号処理部を中心とする構成を示す図である。
【図２】光通信カード構成を示す図である。
【図３】信号周波数に対する伝搬損失を示した図である。
【図４】光伝送装置構成を示す図である。
【図５】複数の光通信カード及びスイッチカードが搭載された光伝送装置を示す図である。
【図６】光通信カードでの主信号処理制御シーケンスを示す図である。
【図７】光伝送装置に拡張スイッチカード及び光通信カードを搭載する構成を示す図である。
【図８】拡張スイッチカードのFEC処理部を中心とする構成を示す図である。
【図９】拡張スイッチカードに対する、パス設定から主信号処理までの制御シーケンスを示す図である。
【発明を実施するための形態】
【００１７】
以下では、本発明を用いた光伝送システムについて説明する。尚、下記実施形態により本発明が限定されるものではない。
【００１８】
図１に本実施例による光通信カードと制御カードと外部端末の構成を、光通信カードの主信号処理部の構成を中心として示す。ここで、光伝送装置には１つ以上の光通信カード及び装置内のカードを制御することのできる制御カードが設置されるものとする。
【００１９】
図１の光通信カード101には、複数種類のFEC機能についての選択機能を含む、主信号処理部103が含まれる。図１に示す光通信カード１０１は、装置外部のネットワーク上を伝送する主信号を送受信する。光通信カード１０１は、光信号と電気信号の変換を行う複数の光信号送受信部１０２を有し、各々の光信号送受信部１０２は送信部と受信部を内部に備えている。また、光通信カード１０１は１の光信号送受信部１０２に対して１の光通信カード主信号処理部１０３を備える。図１では簡単のため１の光信号送受信部１０２と、それに対応する１の光通信カード主信号処理部１０３のみを記載する。
【００２０】
主信号処理部１０３は、装置外部から収容する主信号のモニタや監視を行う収容信号処理部１０７、装置内の他カードへ主信号を伝送させる為のインタフェース部１０８、複数のプロトコルを変換可能なマッピング処理部１０９、及びFEC機能OFFあるいは複数種類のFEC機能（例えばRS[255,239]符号FECをFEC機能A、BCH[3860,3824]符号FECをFEC機能Bなどとする）を選択でき、データ訂正ビット挿入及びエラー検出と訂正処理可能なFEC処理部１１０を備え、主信号処理部１０３内部で各１０７から１１０の異なる方式である機能を選択可能な機能選択部１１１を具備している。さらに各々の機能部を制御する制御部１０４を備え、制御部１０４は制御信号により各機能部の処理命令や警報監視などを行っている。
【００２１】
保守者は外部端末１０６から、装置における伝送速度や伝送路のパス設定等の通信サービス内容を決定及び確認することができる。外部端末１０６からの入力情報が、装置に搭載される１つ以上の光通信カードの制御や警報監視を行う制御カード１０５を介し、制御部１０４に入力され、制御部１０４が、サービス内容を実現するよう各機能部に制御信号を送信する。
【００２２】
なお、ＦＥＣ処理部１１０内には、上記の通り、複数種類のＦＥＣ機能を備え、選択されたFEC機能に基づき、受信信号に対しては訂正ビット付きの主信号から誤り検出及び訂正を行い、送信信号に対しては訂正ビットを挿入する。これにより、制御部１０４からの制御信号に基づいて、適切なＦＥＣ機能を選択及び処理することが可能となる。ここで、複数種類のＦＥＣ機能とは、一定の誤り率までは訂正を行うことのできる第１のＦＥＣ機能、第１のＦＥＣ機能よりも処理量は多いがより高い誤り率まで誤り訂正を行うことのできる第２のＦＥＣ機能、など、誤り訂正能力と処理量（即ち消費電力）の異なる複数のＦＥＣ機能を意味しており、FEC処理部１１０はＦＥＣ処理を一切行わなず誤りを許容する場合に使用できるＦＥＣ機能ＯＦＦも備えている。
【００２３】
ここで、装置内での主信号伝送について、伝送速度と装置内の各伝送路に対するビット誤り率は、基板材質や伝送路長、コネクタ等の設計パラメータにおける信号減衰量から算出する等により実運用前に把握することもできる。この場合、伝送速度及び伝送路毎に予めビット誤り率を把握して適切なＦＥＣ機能を選択したデータテーブルを用意しておき、外部端末106からパス設定を行うことにより、ＦＥＣ機能を選択することが可能となる。適切なFEC機能とは、例えばシステム設計値としてFEC訂正後の誤り率として10-15以下が要求される場合、各伝送速度と各伝送路に対し、誤り率が10-15以下の場合はビット誤りを許容するため、FEC機能ＯＦＦを選択し、誤り率が10-15から10-12の範囲にある場合は前記範囲の誤り率において訂正後の誤り率が10-15となるFEC機能A、10-12から10-5の範囲場合は前記範囲の誤り率において訂正後の誤り率が10-15となるFEC機能B、10-5から10-3の場合は前記範囲の誤り率において訂正後の誤り率が10-15となるFEC機能Cと、誤り率に応じてエラー訂正後の誤り率がシステム要求値以下となるＦＥＣ機能を意味し、FEC機能A、B、Cの順でエラー訂正処理量が多く、エラー訂正能力は高いが消費電力も同時に高くなる。
【００２４】
また、パス設定とは、ネットワーク上の任意の伝送速度で伝搬する主信号を、ある１つの光信号送受信部（以下ポート）から他のポートへと伝送させる為に行う設定のことである。装置内においては、それぞれのパスに対し、物理的な配線やLSIを通して繋がっている伝送路が存在し、伝送路毎に伝搬特性は異なる為、伝送路毎に、FEC訂正後の誤り率を確実に10-15以下となるように、ＦＥＣ機能を複数のFEC機能の中から選択する。
【００２５】
例として、装置内の２つの異なる伝送路を伝送路aと伝送路bとする。図１の制御カード105には、伝送路毎（及び伝送速度毎）について、事前に把握される誤り率に基づいて選択すべきＦＥＣ機能がFEC選択データテーブル１１５として格納されており、データ検索処理部１１４に入力される伝送速度及び伝送路情報に基づき、前記テーブル１１５からFEC機能を選択する。FEC選択データテーブル１１５は、例えば伝送路aの様に、伝送速度が高くなるにつれ誤り率が増加するような場合、誤り率の増加に対応して誤り訂正を行うように、FEC機能Ａ、Ｂ、Ｃのいずれかを使用する事で誤り率10-15の維持を確保するようにFEC機能が設定されている。また、例えば伝送路bの様に、事前に把握される誤り率が、各伝送速度において10-15を確保できている場合、誤りを許容する為、一律のＦＥＣ機能ＯＦＦが設定されている。
【００２６】
データ検索に必要な伝送速度と伝送路情報については、保守者が外部端末１０６よりパス設定を行うことで入力することもできる。パス設定により、入力された伝送速度情報は直接データ検索処理部１１４へ伝達され、伝送路情報については外部端末１０６に具備された伝送路検索部１１６が、装置内の各ポート間に対応する伝送路についてのデータベースを備えた伝送路データテーブル１１７から装置内の物理的な伝送路を選択し、選択された伝送路情報を制御カード１０５のデータ検索処理部１１４に伝達され、設定すべき装置内の伝送路に対するFEC機能がFEC機能データテーブルより決定される。ここで、外部から光通信カードへ入力するポートを入力側、外部へ出力するポートを出力側と定義とする。また伝送速度は、制御部１０４から制御カード１０５に送信される製品情報に含まれる、光通信カード１０１に対応する伝送速度情報をデータ検索処理部１１４への入力で決定もできる。さらに未接続の異なる２つのポートに接続された主信号に対し、それぞれに対応した収容信号処理部１０７の情報から、伝送速度を判別し、同一プロトコル（イーサネット等）同士を結ぶように接続ポートを選択することで伝送路を選択し、伝送速度及び伝送路を自動的に入力されるようにすることも可能である。
【００２７】
制御カードは、制御信号に選択したFEC機能情報を含めて、光通信カードの制御部１０４に送信する。制御部１０４は、主信号処理部１０３の機能選択部１１１に対して、制御信号の中のＦＥＣ機能情報に基づいてFEC機能の選択指令を入力する。これにより、機能選択部１１１がFEC処理機能部１１０内のセレクタを制御し、FEC処理部１１０の複数種類のFEC機能のうちから、適切なFEC機能が選択され、適切なＦＥＣ処理が主信号に施される。
【００２８】
さらに、FEC機能についてもFEC機能部１１０により検出される誤り率を常時監視し、運用中の誤り率を基に、使用するFEC機能を選択するようにしてもよい。
【００２９】
図２に、光通信カードの構成を示す。光通信カード１０１は光信号送受信部１０２及び主信号処理部１０３を複数有し、カード内において主信号の経路選択が可能な光通信カードスイッチング部２０１と他カードとの通信を行うためのバックプレーン（以下ＢＰ）インタフェースコネクタ２０２を備える。光通信カード１０１は、任意の２ポート間で主信号の伝送を行う事ができ、またBPインタフェースを介し図示しない、光伝送装置内に設置される他の光通信カードと主信号の伝送を行うこともできる。各機能部間においては主信号を伝搬させるための伝送路として外部用、カード内用、BP用としてそれぞれ主信号伝送路１１２、１１３、及び２０３を備え、主信号は主信号伝送路を伝搬する。また各機能部に対し機能設定や警報監視を行う制御信号を伝搬するための制御信号伝送路２０４、２０５、２０６、及び２０７を備えている。
【００３０】
ここで、図３に、信号周波数に対する伝搬損失を示す。ここでは、一例としてＦＲ４基板（一般的な難燃性を備えたガラスエポキシ基板を使用する際の信号周波数に対する伝搬損失を示している。横軸が信号周波数に対し、縦軸は単位メートル当たりの伝搬損失を示しており、信号周波数が上がるにつれ基板内を伝搬する信号の減衰量は増加する。信号周波数は装置内での伝送速度を意味しており、伝送速度の増加に伴い、単位距離ごとの信号減衰量は大きくなる為、ビット誤り率は増加する。さらに伝搬距離が長くなるにつれ減衰量も大きくなる為、ビット誤り率はやはり増加する。従ってFEC機能を選択するパラメータとして、伝搬距離を含めた、特性のそれぞれ異なる各伝送路、及び各伝送速度に対し考慮することが必要である。
【００３１】
背景技術でも記載した通り、FEC機能毎に訂正ビットの処理量は異なる。その為、１つの主信号にかかる消費電力が異なり、システム容量が大きくなる程、システム要求に必要な伝送品質を確保しながら装置内でのFEC機能による消費電力を削減する効果は大きくなる。
【００３２】
図４に光通信カードが搭載され、かつ外部端末と接続された光伝送装置の構成例を示す。光伝送装置４０１は各種カード間の主信号や制御信号の伝送する装置内ＢＰ４０２を有し、光通信カード１０１、制御カード１０５、及び装置内においてカードからカードへ主信号経路を変更する為のスイッチカード４０３が搭載可能となっている。装置内ＢＰ４０２は、制御カード１０５と各光通信カードの制御信号の伝搬を行うためのＢＰ制御信号伝送路４０６と、光通信カード１０１とスイッチカード４０３の主信号の伝搬を行うためのＢＰ主信号伝送路４０７を具備し、制御カード１０５及びスイッチカード４０３はそれぞれ、装置内ＢＰ４０２へ信号を送受信するための制御カードＢＰインタフェースコネクタ４０４、及びスイッチカードＢＰインタフェースコネクタ４０５を有している。保守者は、外部端末１０６から、制御カード１０５に繋がれた外部端末用制御信号伝送路４０８に、主信号経路を選択するポート設定や信号中継を行うトランスポンダ機能、あるいはスイッチカード４０３を介したインタフェース機能等の制御情報を送信することで、光伝送装置４０１内の構成を選択できる。  図５にスイッチカード及び光通信カードが搭載された光伝送装置について、複数の光通信カード間で主信号が伝送される状態の構成例を示す。スイッチカード４０３は複数の光通信カードからの多量の主信号の経路変更が可能なスイッチカードスイッチング部５０１（大容量スイッチング部）を有し、大容量スイッチング部５０１を制御する制御部５０２と、主信号を伝搬するための主信号伝送路５０３と、制御信号を伝搬するための制御信号伝送路５０４及び５０５を備える。
【００３３】
例えば保守者が、ネットワーク上の１つの光信号を光信号送受信部１０２−１−１から１０２−Ｍ−１へ、及び他の光信号を１０１−１−２から１０２−１−Ｎへと伝送させる為に、上記ポート同士を接続させるように２つのパス設定を行った場合、伝送路A及び伝送路Bがそれぞれ選択されることとなる。
【００３４】
図６に本実施の形態のパス設定による主信号処理制御シーケンスを示す。光伝送装置に光通信カードが実装されると、光通信カードの制御部１０４から、カード種別や製造年月等を示す製品コード、及び伝送速度がカード個別である場合カードに対応する伝送速度等の製品情報を含む実装情報６０１が制御カード１０５へ送信される。伝送速度がカード個別である場合は、この段階で伝送速度を決定することもでき、図６ではカード個別である場合について示す。制御カード１０５は実装情報６０２を外部端末１０６へ送信することで、保守者は実装されているカードの実装情報を確認することができる。ここで、光伝送装置に複数の光通信カード及びスイッチカードが搭載されるときには、全てのカードの実装情報を制御カード１０５に送信してもよい。その情報を元に、保守者が外部端末１０６から主信号のパス設定を行うと、図１に示す通り、外部端末１０６がパスに対応した伝送路を検索、及び選択し、決定された伝送路情報を含むパス設定情報６０３が制御カード１０５に与えられる。制御カード１０５は図１に示す通り伝送速度と伝送路に対し必要なFEC機能情報をデータテーブルとして保持しており、伝送速度情報を含む実装情報６０１及び伝送路情報を含むパス設定情報６０３に基づいて該当するＦＥＣ機能情報を検索して選択し、光通信カード１０１の制御部１０４に対しFEC機能選択情報を含む制御情報６０４を送信する。その後、光通信カード内の制御部１０４が、任意の光通信カードの主信号処理部１０３間、あるいは主信号処理部１０３とＢＰインタフェースコネクタ１０６間の接続構成を確立するため、接続命令６０５をスイッチング部２０１に送信する。接続結果６０６を制御部１０４が確認すると、次に主信号処理部１０３に、選択されたFEC機能情報を含む処理機能選択命令６０７を送信する。処理機能選択命令６０７に基づいて、主信号処理部１０３で必要なFEC機能の選択を含めた設定が行われ、その後主信号処理部１０３は処理機能選択結果６０８を制御部１０４へ返送する。主信号処理機能を確認した制御部１０４は、光信号送受信部１０２を使用可能にするためのポート設定命令６０９を光信号送受信部１０２に送信する。ポート設定結果６１０を受けた制御部１０４は、最終的な光通信カード１０１の設定結果６１１を制御部１０４から制御カード１０５へ、さらに制御カード１０５は光通信カードの設定情報６１２を外部端末１０６へ送信する。以上により、保守者の要求する構成を構築でき、さらに光伝送装置４０１の構成が確認できる。カード設定情報６１２は、複数の光通信カードやスイッチカードが搭載されている際には、制御カード１０５においてそれぞれの光通信カードの設定が完了したことを確認した後にカード設定情報６１２を送信してもよい。
【００３５】
図７に、光伝送装置に光通信カード、制御カード及び拡張スイッチカードを搭載する構成の実施例を示す。図７に示す拡張スイッチカード７０１は、拡張スイッチカードFEC処理部７０２を備える。大容量化などの目的で、10Gbps以上の高速電気信号伝送や、装置に収容するポート数を増やす為に装置を大型化した際のBPの長距離伝送により、１の光通信カードからスイッチカードを経由し他の光通信カードまで伝達する間の伝搬損失は悪化し、ビット誤り率が増加する為、伝送品質は悪化する。本実施例では、スイッチカードにFEC機能を搭載することにより、１の光通信カードからスイッチカードの間で主信号に対し一度エラー訂正でき、さらにスイッチカードから他の光通信カードの間でも主信号に対しエラー訂正できる為、ビット誤り率の増加を防ぎ、伝送品質の高い光伝送装置を実現する。また、本実施例では、主信号伝送の為の、拡張スイッチカード内主信号伝送路７０３及び７０４と、制御部５０２からFEC処理部７０２へFEC機能を選択する為の情報を含む制御情報を伝送する為の拡張スイッチカード制御伝送路７０５を備える。これにより、例えば光通信カード１０１−１のポート１０２−１−１から、拡張スイッチカード７０１を経由し光通信カード１０１−Mのポート１０２−M−１へネットワーク上の主信号を伝送させたい場合、装置内の主信号に対しFECが機能するべき伝送路は、図7に示す伝送路ｉと伝送路１とに分けられる事となる。
【００３６】
図８に、図７の実施例における拡張スイッチカード、制御カード及び外部端末のFEC機能選択を中心にした構成例を示す。ここで、データ検索処理部１１４及び伝送路検索修理部１１６はそれぞれ、図１におけるデータ検索処理部１１４及び伝送路検索修理部１１６と同様にデータの検索を行う。この実施例においては、装置内の主信号に対しエラー訂正を行う為のFEC処理部が光通信カード１０５及び拡張スイッチカード７０１に搭載される。図８に示すように、光通信カード１０１−１から拡張スイッチカード７０１への方向の伝送路ｉについてのテーブル（光通信カード送信対応FEC選択データテーブル８０１及び光通信カード送信対応伝送路データテーブル８０３）と、拡張スイッチカード７０１から光通信カード１０１−Ｍへの方向の伝送路１についてのテーブル（拡張スイッチカード送信対応FEC選択データテーブル８０２及び拡張スイッチカード送信対応伝送路データテーブル８０４）を制御カード及び外部端末にそれぞれ保持する。これにより、図１の実施例同様、光通信カード１０１及び拡張スイッチカード７０１の間の主信号に対し、それぞれシステム仕様に要求される誤り率に必要なFEC機能を選択できる。そして、制御カードが選択したFEC機能を含む制御信号を拡張スイッチカード及び光通信カードに送信することで、各カードのFEC処理部において伝送路ｉと伝送路１の主信号それぞれに異なるFEC機能を施すことが可能となる。本実施例では、大容量スイッチング部５０１とFEC処理部７０１との間でFEC機能は使用しない構成で記載しているが、前記間の伝送路データテーブルと必要なFEC機能選択データテーブルを制御カード１０５及び外部端末１０６に保持することで、上記説明と同様の処理により、FEC機能を主信号に施すこともできる。
【００３７】
図９に本実施の形態の拡張スイッチカードの主信号処理制御シーケンスを示す。光伝送装置に拡張スイッチカードが実装されると、拡張スイッチカードの制御部702からカード種別や製品コード、及びFEC処理部を具備していること等の製品情報を含む実装情報９０１が制御カード１０５へ送信される。なお、ネットワーク上の主信号を送受信する光通信カードの主信号処理制御シーケンスについては、基本的に図６と同様とすることが可能である。従って伝送速度は光通信カードの実装情報６０１から決定されることとなる。
【００３８】
制御カード１０５は実装情報９０２を外部端末１０６へ送信することで、保守者は実装されている拡張スイッチカード７０１の実装情報を確認することができる。図６同様に、光伝送装置に複数の光通信カードが搭載されるときには、全てのカードの実装情報を制御カード１０５に送信してもよい。その情報を元に、保守者が外部端末１０６から主信号のパス設定を行うと、図８に示す通り、外部端末１０６は光通信カードから拡張スイッチカードまで、及び拡張スイッチカードから光通信カードまでの伝送路データテーブルを用い、パスに対応した伝送路を検索、及び選択し、決定された伝送路情報を含むパス設定情報９０３が制御カード１０５に与えられる。ここで制御カード１０５は図８に示す通り光通信カードから拡張スイッチカードまで、及び拡張スイッチカードから光通信カードまでに対応した伝送速度と伝送路に対し必要なFEC機能情報をそれぞれデータテーブルとして保持しており、伝送速度情報を含む光通信カードの実装情報６０１及び伝送路情報を含むパス設定情報９０３に基づいて該当するＦＥＣ機能情報を検索して選択する。そして、制御カード１０５は、拡張スイッチカード７０１の制御部５０２（及び主信号を伝送させる光通信カード１０１の制御部１０４）に対して、FEC機能選択情報を含む制御情報９０４を送信する。
【００３９】
なお、図９では、拡張スイッチカードと制御カードと外部端末との関係を示しているが、パス設定情報９０３と制御情報９０４は、拡張スイッチカードについてのパス設定と制御のみではなく、拡張スイッチカードを介し主信号伝送を行う光通信カードとの双方のパス設定と制御についての情報を含んでもよい。拡張スイッチカードと光通信カードとの双方の情報を含む場合には、パス設定情報９０３と制御情報９０４は、制御カードから、拡張スイッチカードの制御部５０２と光通信カードの制御部104との双方に送信されてもよい。拡張スイッチカード７０１においては、拡張スイッチカード内の制御部５０２が、大容量スイッチング部５０１の接続命令９０５を送信する。接続結果９０６を制御部５０２が確認すると、次に拡張スイッチカードFEC処理部７０２に選択されたFEC機能情報を含む信号処理機能選択命令９０７を送信する。ここで必要なFEC機能を含めた設定が行われ、その後FEC処理部７０２は処理機能選択結果９０８を制御部５０２へ返送し、主信号処理機能を確認した制御部５０２は、最終的な拡張スイッチカード７０１の設定結果９０９を制御部５０２から制御カード１０５へ返送する。さらに制御カード１０５はカードの設定情報９１０を外部端末１０６へ送信することで保守者は光伝送装置４０１の構成が確認できる。
【００４０】
なお、本発明は将来バックパネルとして、10Gbpsを超える高速信号伝送において電気信号に代わり光信号で伝送させる光ファイバや光導波路などを適用した光バックプレーンが適用された場合であっても電気信号にFEC処理を行い、光信号に変換し光BPへ送信し、光BPを通した後に光信号から電気信号に変換し、エラー検出、及び訂正を行うことで、同様に適用できるものである。その場合は、主信号をBPへ送受信するBPインタフェースコネクタの前段に電気信号と光信号との変換を行う光電気信号変換部を備える必要がある。
【００４１】
また、光伝送装置については、スイッチカードを備えるものとしたが、搭載する光通信カードが一枚のときには、スイッチカードを省いた構成とすることも可能である。
【符号の説明】
【００４２】
１０１  光通信カード
１０２  光信号送受信部
１０３  光通信カード主信号処理部
１０４  光通信カード制御部
１０５  制御カード
１０６  外部端末
１０７  収容信号処理部
１０８  インタフェース部
１０９  マッピング処理部
１１０  FEC処理部
１１１  機能選択部
１１２  光通信カード外部用主信号伝送路
１１３  光通信カード内主信号伝送路
１１４  データ検索処理部
１１５  FEC選択データテーブル
１１６  伝送路検索処理部
１１７  伝送路データテーブル
２０１  光通信カードスイッチング部
２０２  光通信カードＢＰインタフェースコネクタ
２０３  光通信カードＢＰ用主信号伝送路
２０４，２０５，２０６，２０７  光通信カード制御信号伝送路
４０１  光伝送装置
４０２  装置内ＢＰ
４０３  スイッチカード
４０４  制御カードＢＰインタフェースコネクタ
４０５  スイッチカードＢＰインタフェースコネクタ
４０６  ＢＰ制御信号伝送路
４０７  ＢＰ主信号伝送路
４０８  外部端末制御信号伝送路
５０１  大容量スイッチング部
５０２  スイッチカード制御部
５０３  スイッチカードＢＰ用主信号伝送路
５０４，５０５  スイッチカード制御信号伝送路
６０１  カード実装情報
６０２  全カード実装情報
６０３  パス設定情報
６０４  カード単位制御情報
６０５  接続命令
６０６  接続結果
６０７  処理機能選択命令
６０８  処理機能選択結果
６０９  ポート設定命令
６１０  ポート設定結果
６１１  カード単位設定結果
６１２  全カード設定情報
７０１  拡張スイッチカード
７０２  拡張スイッチカードFEC処理部
７０３，７０４  拡張スイッチカード主信号伝送路
７０５  拡張スイッチカード制御信号伝送路
８０１  光通信カード送信対応FEC選択データテーブル
８０２  拡張スイッチカード送信対応FEC選択データテーブル
８０３  光通信カード送信対応伝送路データテーブル
８０４  拡張スイッチカード送信対応伝送路データテーブル
９０１  カード実装情報
９０２  全カード実装情報
９０３  パス設定情報
９０４  カード単位制御情報
９０５  拡張スイッチカード接続命令
９０６  拡張スイッチカード接続結果
９０７  拡張スイッチカード処理機能選択命令
９０８  拡張スイッチカード処理機能選択結果
９０９  カード単位設定結果
９１０  全カード設定情報
【図１】
0005624848.tif 000002
【図２】
0005624848.tif 000003
【図３】
0005624848.tif 000004
【図４】
0005624848.tif 000005
【図５】
0005624848.tif 000006
【図６】
0005624848.tif 000007
【図７】
0005624848.tif 000008
【図８】
0005624848.tif 000009
【図９】
0005624848.tif 000010